(57)【要約】【課題】ユーザが画像を複数の画像の組を処理する際の手間を軽減すること。【解決手段】画像処理装置１は、画像選択部４３と、サムネイル生成部４４と、関連付け部４５と、実行部４６と、を備える。画像選択部４３は、所定の処理の対象となる複数の画像の組を選択する。サムネイル生成部４４は、画像選択部４３により選択された複数の画像の組を識別可能なサムネイルを生成する。関連付け部４５は、画像選択部４３により選択された複数の画像の組を示す所定情報と、サムネイル生成部４４により生成されるサムネイルと、を関連付ける。実行部４６は、関連付け部４５により関連付けされたサムネイルに対する操作に応じて、関連付けられている所定の情報で示される複数の画像の組を自動選択して所定の処理を実行する。【選択図】図２
2014186766.tif 000002
【特許請求の範囲】
【請求項１】
所定の処理の対象となる複数の画像の組を選択する画像選択手段と、
前記画像選択手段により選択された複数の画像の組を識別可能なサムネイルを生成するサムネイル生成手段と、
前記画像選択手段により選択された複数の画像の組を示す所定情報と、前記サムネイル生成手段により生成されるサムネイルと、を関連付ける関連付け手段と、
前記関連付け手段により関連付けされたサムネイルに対する操作に応じて、関連付けられている所定の情報で示される複数の画像の組を自動選択して所定の処理を実行する実行手段と、
を備えることを特徴とする画像処理装置。
【請求項２】
前記関連付け手段は、前記サムネイル生成手段により生成される複数のサムネイルを前記複数の画像の組を示す所定情報と関連付けて記憶し、
前記実行手段は、前記関連付け手段により記憶されている複数のサムネイルに対する選択操作に応じて所定の処理を実行する
ことを特徴とする請求項１に記載の画像処理装置。
【請求項３】
前記関連付け手段は、前記複数の画像の組に所定の処理を行う際の空間的又は時間的な位置関係も更に関連付け、
前記サムネイル生成手段は、空間的又は時間的な位置関係も合わせて識別可能なサムネイルを更に生成し、
前記実行手段は、前記関連付けに含まれるサムネイルに対する操作に応じて、関連付けられている複数の画像の組を自動選択すると共に関連付けられている位置関係で所定の処理を実行する
ことを特徴とする請求項１又は２に記載の画像処理装置。
【請求項４】
前記関連付け手段により関連付けられる空間的又は時間的位置関係は、複数画像を複数画面に表示する際の位置関係である
ことを特徴とする請求項３に記載の画像処理装置。
【請求項５】
前記関連付け手段により関連付けられる空間的又は時間的位置関係は、複数画像を１画面内に重畳して表示する際の位置関係である
ことを特徴とする請求項３に記載の画像処理装置。
【請求項６】
前記関連付け手段により関連付けられる空間的又は時間的位置関係は、複数画像を１画面に順次切り換えて表示する際の順番である
ことを特徴とする請求項３に記載の画像処理装置。
【請求項７】
前記サムネイル生成手段は、選択された複数の画像の組を前記空間的又は時間的位置関係に対応して予め決められた組合せ可能な位置関係で配置し合成した縮小画像を前記サムネイルとして生成する
ことを特徴とする請求項３乃至６のうち何れか１項に記載の画像処理装置。
【請求項８】
前記サムネイル生成手段は、選択された複数の画像の組を前記空間的又は時間的位置関係が組合せ可能な位置関係を選択して配置し合成した縮小画像を前記サムネイルとして生成する
ことを特徴とする請求項３乃至６のうち何れか１項に記載の画像処理装置。
【請求項９】
前記サムネイル生成手段は、前記複数の画像の組の表示を実行した後に、前記複数の画像の組を表示した位置関係に基づいて配置し合成した縮小画像を前記サムネイルとして生成する
ことを特徴とする請求項３乃至６のうち何れか１項に記載の画像処理装置。
【請求項１０】
前記実行手段により実行される前記所定の処理は、複数画面における複数画像の表示である
ことを特徴とする請求項１に記載の画像処理装置。
【請求項１１】
前記実行手段により実行される前記所定の処理は、１画面内における複数画像の重畳表示である
ことを特徴とする請求項１に記載の画像処理装置。
【請求項１２】
前記実行手段により実行される前記所定の処理は、１画面内における順次切換表示である
ことを特徴とする請求項１に記載の画像処理装置。
【請求項１３】
前記サムネイル生成手段は、前記複数の各画像を結合することで前記サムネイルを生成する
ことを特徴とする請求項３乃至１２のうち何れか１項に記載の画像処理装置。
【請求項１４】
所定の処理を実行する画像処理装置が実行する画像処理方法であって、
所定の処理の対象となる複数の画像の組を選択する画像選択ステップと、
前記画像選択ステップにおいて選択された複数の画像の組を識別可能なサムネイルを生成するサムネイル生成ステップと、
前記画像選択ステップにおいて選択された複数の画像の組を示す所定情報と、前記サムネイル生成ステップにおいて生成されるサムネイルと、を関連付ける関連付けステップと、
前記関連付けステップにおいて関連付けされたサムネイルに対する操作に応じて、関連付けられている所定の情報で示される複数の画像の組を自動選択して所定の処理を実行する実行ステップと、
を含むことを特徴とする画像処理方法。
【請求項１５】
コンピュータを、
所定の処理の対象となる複数の画像の組を選択する画像選択手段、
前記画像選択手段により選択された複数の画像の組を識別可能なサムネイルを生成するサムネイル生成手段、
前記画像選択手段により選択された複数の画像の組を示す所定情報と、前記サムネイル生成手段により生成されるサムネイルと、を関連付ける関連付け手段、
前記関連付け手段により関連付けされたサムネイルに対する操作に応じて、関連付けられている所定の情報で示される複数の画像の組を自動選択して所定の処理を実行する実行手段、
として機能させることを特徴とするプログラム。
【請求項１６】
所定の処理の対象となる複数の画像の組の空間的又は時間的な位置関係を選択する選択手段と、
前記選択手段により選択された複数の画像の組の空間的又は時間的な位置関係を識別可能なサムネイルを生成するサムネイル生成手段と、
前記選択手段により選択された複数の画像の組の空間的又は時間的な位置関係を示す所定情報と、前記サムネイル生成手段により生成されるサムネイルと、を関連付ける関連付け手段と、
前記関連付け手段により関連付けされたサムネイルに対する操作に応じて、関連付けられている所定の情報で示される複数の画像の組の空間的又は時間的な位置関係を自動選択して所定の処理を実行する実行手段と、
を備えることを特徴とする画像処理装置。
【請求項１７】
所定の処理を実行する画像処理装置が実行する画像処理方法であって、
所定の処理の対象となる複数の画像の組の空間的又は時間的な位置関係を選択する選択ステップと、
前記選択ステップにおいて選択された複数の画像の組の空間的又は時間的な位置関係を識別可能なサムネイルを生成するサムネイル生成ステップと、
前記選択ステップにおいて選択された複数の画像の組の空間的又は時間的な位置関係を示す所定情報と、前記サムネイル生成ステップにおいて生成されるサムネイルと、を関連付ける関連付けステップと、
前記関連付けステップにおいて関連付けされたサムネイルに対する操作に応じて、関連付けられている所定の情報で示される複数の画像の組の空間的又は時間的な位置関係を自動選択して所定の処理を実行する実行ステップと、
を含むことを特徴とする画像処理方法。
【請求項１８】
コンピュータを、
所定の処理の対象となる複数の画像の組の空間的又は時間的な位置関係を選択する選択手段、
前記選択手段により選択された複数の画像の組の空間的又は時間的な位置関係を識別可能なサムネイルを生成するサムネイル生成手段、
前記選択手段により選択された複数の画像の組の空間的又は時間的な位置関係を示す所定情報と、前記サムネイル生成手段により生成されるサムネイルと、を関連付ける関連付け手段、
前記関連付け手段により関連付けされたサムネイルに対する操作に応じて、関連付けられている所定の情報で示される複数の画像の組の空間的又は時間的な位置関係を自動選択して所定の処理を実行する実行手段、
として機能させることを特徴とするプログラム。
【発明の詳細な説明】
【技術分野】
【０００１】
本発明は、画像処理装置、画像処理方法及びプログラムに関する。
【背景技術】
【０００２】
従来から、ゴルフやテニスのスウィングや野球のバッティングフォーム等、スポーツにおけるユーザ自身のフォームの画像と、プロのフォームの画像等、見本となる画像との２つの画像を比較可能な状態で並べた表示（以下、「２画面表示」と呼ぶ）を可能とする技術が開示されている（例えば、特許文献１参照）。
【先行技術文献】
【特許文献】
【０００３】
【特許文献１】特開２００７−３１３３６２号公報
【発明の概要】
【発明が解決しようとする課題】
【０００４】
しかしながら、複数回の２画面表示が行われる場合、ユーザは、２画面表示の対象となる２つの画像の組を選択する、又は２つの画像の配置（例えば２画面表示の左右のどちらに表示させるのか等）を選択するための操作として、非常に手間がかかる面倒な操作をその都度しなければならなかった。２画面表示以外にも、例えば、２つの画像を連続して切り換えて同じ位置に表示させることで比較する場合も同様である。
【０００５】
本発明は、このような状況に鑑みてなされたものであり、ユーザが複数の画像の組を処理する際の手間を軽減することを目的とする。
【課題を解決するための手段】
【０００６】
上記目的を達成するため、本発明の一態様の画像処理装置は、
所定の処理の対象となる複数の画像の組を選択する画像選択手段と、
前記画像選択手段により選択された複数の画像の組を識別可能なサムネイルを生成するサムネイル生成手段と、
前記画像選択手段により選択された複数の画像の組を示す所定情報と、前記サムネイル生成手段により生成されるサムネイルと、を関連付ける関連付け手段と、
前記関連付け手段により関連付けされたサムネイルに対する操作に応じて、関連付けられている所定の情報で示される複数の画像の組を自動選択して所定の処理を実行する実行手段と、
を備えることを特徴とする。
【発明の効果】
【０００７】
本発明によれば、ユーザが複数の画像の組を処理する際の手間を軽減することができる。
【図面の簡単な説明】
【０００８】
【図１】本発明の第１実施形態に係る画像処理装置のハードウェアの構成を示すブロック図である。
【図２】図１の画像処理装置の機能的構成のうち、サムネイル登録処理及び再生処理を実行するための機能的構成を示す機能ブロック図である。
【図３】図２の画像処理装置により、選択された再生対象動画の組とサムネイルの組との関連付けの具体例を示す模式図である。
【図４】図２の画像処理装置により空間的な位置関係の関連付けがなされたサムネイルの組の表示の一例を示す模式図である。
【図５】図２の画像処理装置により再生対象動画の組が２画面同時再生されている様子を示す模式図である。
【図６】図２の画像処理装置により時間的な位置関係の関連付けがなされたサムネイルの組の表示の一例を示す模式図である。
【図７】空間的又は時間的な各位置関係毎のサムネイルの組の実際の表示の様子を模式的に示す模式図である。
【図８】図２の機能的構成を有する画像処理装置が実行する第１実施形態のサムネイル登録処理の流れを説明するフローチャートである。
【図９】図２の機能的構成を有する画像処理装置が実行する再生処理の流れを説明するフローチャートである。
【図１０】図２の機能的構成を有する画像処理装置が実行する第２実施形態のサムネイル登録処理の流れを説明するフローチャートである。
【図１１】図２の機能的構成を有する画像処理装置が実行する第３実施形態のサムネイル登録処理の流れを説明するフローチャートである。
【発明を実施するための形態】
【０００９】
以下、本発明の実施形態について、図面を用いて説明する。
【００１０】
［第１実施形態］
図１は、本発明の第１実施形態に係る画像処理装置１のハードウェアの構成を示すブロック図である。
画像処理装置１は、例えばデジタルカメラとして構成される。
【００１１】
画像処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムにしたがって各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１５】
撮像部１６は、被写体を撮像し、当該被写体の像を含む画像（以下、「撮像画像」と称する）のデジタル信号（画像信号）をＣＰＵ１１に供給する。ここで、撮像画像のデジタル信号（画像信号）を、「撮像画像のデータ」と適宜呼ぶ。
【００１６】
入力部１７は、各種釦等で構成され、ユーザの指示操作に応じて各種情報を入力する。
出力部１８は、ディスプレイやスピーカ等で構成され、画像や音声を出力する。
【００１７】
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００１８】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００１９】
図２は、このような画像処理装置１の機能的構成のうち、サムネイル登録処理及び再生処理を実行するための機能的構成を示す機能ブロック図である。
【００２０】
ここで、サムネイル登録処理とは、次のような一連の処理をいう。
即ち、本実施形態では、所定の者（ここでは説明の簡略上画像処理装置１のユーザや、プロゴルファー等）がゴルフのスイングの動作をしている様子が映る２つの動画像が、再生対象となる。以下、このような動画像を「再生対象動画」と呼ぶ。即ち、本実施形態では、２つの再生対象動画が、並列に並べられて２画面同時再生が行われたり、何れか一方の動画像が再生された後に他方の動画像が再生されるといった順次再生が行われる。
ユーザは、２画面同時再生や順次再生の表示形態を決定するために、２つの再生対象動画を指示し、更に、それら２つの再生対象動画の表示時の空間的又は時間的な配置をどのようにするのかを指示する操作をする必要がある。従って、２画面同時再生や順次再生が行われる前に、ユーザが２つの再生対象動画についての各種指示操作に伴う手間を軽減することができれば、ユーザは便宜である。特に、２画面同時再生や順次再生が複数回繰り返して実行される場合に、ユーザは便宜である。
そこで、本実施形態では、画像処理装置１は、ユーザの操作により指示された２つの再生対象動画のカップリング（組）を選択し、再生対象動画の組に対応するサムネイルの組の各データを生成し、再生対象動画の組とサムネイルの組とを関連付けた上で、サムネイルの組の各データを記憶部１９に記憶（登録）させる。更に、画像処理装置１は、再生対象動画の組が再生される際の空間的又は時間的な配置の各組合せ（パターン）毎に、その組合わせの仕方とサムネイルの組とを関連付ける。このような一連の処理を、以下、「サムネイル登録処理」と呼ぶ。
更に、画像処理装置１は、再生対象動画の組に関連付けられたサムネイルの組を、空間的又は時間的な配置の複数の組合せ（パターン）毎に、その組合せがユーザに視認できるような形態で、表示する。ユーザは、表示内容を視認しながら、空間的又は時間的な配置の複数の組合せ（パターン）のうち、所望の組合せに関連付けられたサムネイルの組を指示する操作を行う。画像処理装置１は、操作内容を認識し、ユーザにより指示されたサムネイルの組に関連付けられた再生対象動画の組を選択する。そして、画像処理装置１は、再生対象動画の組を、ユーザにより指示されたサムネイルの組に関連付けられた空間的又は時間的な配置で再生する。このような一連の処理を、以下、「再生処理」と呼ぶ。
【００２１】
このようなサムネイル登録処理及び再生処理の実行が制御される場合、図２に示すように、ＣＰＵ１１においては、主制御部４１と、ユーザ操作受付部４２と、画像選択部４３と、サムネイル生成部４４と、関連付け部４５と、実行部４６と、が機能する。
記憶部１９の一領域として、画像記憶部５１と、サムネイル記憶部５２と、関連情報記憶部５３と、が設けられている。
画像記憶部５１には、再生対象動画の候補となる複数の動画像のデータが予め記憶されている。画像記憶部５１に記憶されている動画像のデータは、撮像部１６により撮像された撮像画像のデータであってもよいし、図示せぬ他の装置から送信されて通信部２０に受信された画像のデータであってもよい。
サムネイル記憶部５２には、後述のサムネイル生成部４４により生成されるサムネイルのデータが記憶される。後述の関連情報記憶部５３には、関連付け部４５により生成される第１関連情報及び第２関連情報が記憶される。第１関連情報及び第２関連情報については、後述する。
【００２２】
主制御部４１は、画像処理装置１全体の制御、特に、後述の図８のサムネイル登録処理及び図９の再生処理に伴う各種制御を実行する。
【００２３】
ユーザ操作受付部４２は、ユーザによる入力部１７に対する操作を受け付ける。
例えば、ユーザは、入力部１７を操作して、画像記憶部５１に記憶されている複数の動画像のデータ中から再生対象動画のデータの組（ここでは２つの再生対象動画からなる組）を指示する。この場合、ユーザ操作受付部４２は、その指示結果を受け付ける。
【００２４】
画像選択部４３は、ユーザ操作受付部４２により受け付けられたユーザの操作内容に基づいて、画像記憶部５１に記憶されている複数の動画像のデータの中から、再生対象動画の組を選択する。
【００２５】
サムネイル生成部４４は、画像選択部４３により選択された再生対象動画の組に対応するサムネイルの組の各データを生成する。
再生対象動画のサムネイルとは、当該再生対象動画を特定可能な範囲内で、当該再生対象動画よりも質が低い画像をいう。即ち、サムネイルは、再生対象付動画よりも質が低い画像であれば足り、所定間隔で何枚かのフレームが間引かれた動画像や、所定のフレームに対応する静止画像であってもよい。ただし、本実施形態では、図４や図６に示すように、出力部１８のディスプレイの１画面にサムネイルの組が複数表示される関係上、サムネイルとしては、各フレームの解像度が低くされた動画像（縮小画像）が採用されている。
また、図４を用いて後述するようにサムネイルの組の表示形態としては、当該組に属する複数枚（ここでは２枚）のサムネイルが空間的に縦方向又は横方向に並べられて１画面全体に表示される形態が採用される。このため、サムネイル生成部４４は、このような表示が可能となるように、再生対象動画に対するアクセプト比を変更した上で解像度を低くしたサムネイルのデータを何種類か生成する。換言すると、サムネイル生成部４４は、出力部１８のディスプレイの１画面において所定の空間的又は時間的位置関係を維持したまま複数（ここでは２枚）のサムネイルの表示が可能となる様に、夫々のサムネイルのデータを生成する。
ここで、空間的位置関係とは、２つの画像が空間的に並んでいる位置関係をいい、例えば、縦、横若しくは斜めに並んでいる関係、所定の間隔を空けて並んでいる関係、又は、２つの画像が重畳して配置されている関係が該当する。
また、時間的位置関係とは、再生時の時間軸上に２つの画像が並んでいる関係をいい、例えば、時間的に連続して再生される２つの画像における両者の再生時刻の関係が該当する。
以上まとめると、サムネイル生成部４４は、画像選択部４３により選択された再生対象動画の組に対応するサムネイルの組のデータを、再生対象動画組の再生形態のパターン（後述する空間的又は時間的な位置関係のパターン）の数だけ生成する。例えば、２つの再生対象動画が横並びで２画面同時再生されるパターンの場合には、横方向の比率が小さくなるようにアスペクト比が変換された、２つのサムネイルの組（後述の図７の組ＳＴ１参照）の各データが生成される。これに対して、２つの再生対象動画が縦並びで２画面同時再生されるパターンの場合には、縦方向の比率が小さくなるようにアスペクト比が変換された、２つのサムネイルの組（後述の図７の組ＳＴ３参照）の各データが生成される。
サムネイル生成部４４は、このようにして再生形態のパターン毎に生成したサムネイルの組（カップリング）の全データをサムネイル記憶部５２に記憶させる。
【００２６】
関連付け部４５は、画像選択部４３により選択された再生対象動画の組と、それに対応してサムネイル生成部４４により生成されるサムネイルの組とを関連付ける。なお、以下、後述の位置関係との関連付けと明確に区別すべく、再生対象動画の組とサムネイルの組との関連付けを、特に「第１関連付け」と呼ぶ。
関連付け部４５は、第１関連付けに対して更に、再生対象動画の組が出力部１８に表示される際の空間的又は時間的な位置関係を更に関連付ける。このような関連付けを、第１関連付けと明確に区別すべく、以下、「第２関連付け」と呼ぶ。
関連付け部４５は、第１関連付けの内容を示す情報（以下、「第１関連情報」と呼ぶ）と、第２関連付けの内容を示す情報（以下、「第２関連情報」と呼ぶ）とを生成して関連情報記憶部５３に記憶させる。
【００２７】
更に以下、図３を参照して、関連付け部４５について詳細に説明する。
図３は、再生対象動画の組とサムネイルの組との関連付けの具体例を示す模式図である。
図３に示すように、画像記憶部５１には、ｎ個（ｎは２以上の整数値）の動画像Ｇ１、Ｇ２・・・、Ｇｎ（ｎは１以上の自然数）の各データが記憶されており、画像選択部４３により、これらのうち２つの動画像Ｇ１，Ｇ２の組が再生対象動画の組として選択されているものとする。
この場合、サムネイル生成部４４は、再生対象動画Ｇ１、Ｇ２の組に対して、サムネイルＳ１、Ｓ２の組の各データを生成する。
次に、関連付け部４５は、２つの再生対象動画Ｇ１、Ｇ２の組（カップリング）と、夫々に対応するサムネイルＳ１、Ｓ２の組とに対する第１関連付けを行い、第１関連情報を生成して関連情報記憶部５３に記憶させる。
そして、関連付け部４５は、第１関連付けに対して更に、２つの再生対象動画Ｇ１、Ｇ２が出力部１８から表示される際の空間的又は時間的な位置関係の第２関連付けを行う。図３の例では、第２関連付けにより、空間的な位置関係ＳＧ１及び空間的な位置関係ＳＧ２、並びに時間的な位置関係ＳＧ３が、第１関連付けに対して更に関連付けられる。
空間的な位置関係ＳＧ１とは、サムネイルＳ１，Ｓ２が横並びの位置関係、即ち、再生対象動画Ｇ１、Ｇ２が横並びで２画面同時再生され得ることを示す位置関係である。
空間的な位置関係ＳＧ２とは、サムネイルＳ１，Ｓ２が縦並びの位置関係、即ち、再生対象動画Ｇ１、Ｇ２が縦並びで２画面同時再生され得ることを示す位置関係である。
時間的な位置関係ＳＧ３とは、サムネイルＳ１，Ｓ２がその順番で再生される時間的な位置関係、即ち、再生対象動画Ｇ１、Ｇ２による順次再生がなされ得ることを示す位置関係である。
【００２８】
図２に戻り、実行部４６は、関連付け部４５により関連付け（本実施形態では第１関連付け及び第２関連付け）がなされたサムネイルの組に対する操作に応じて、関連付けられている再生対象動画の組を自動選択して所定の処理を実行する。
更に以下、図４乃至図７を参照して、実行部４６により実行される所定の処理の具体例について説明する。
【００２９】
図４は、関連付け部４５により空間的な位置関係の関連付けがなされたサムネイルの組の表示の一例を示している。
関連付け部４５により第１関連付けが行われて、空間的な位置関係の第２関連付けが行われると、実行部４６は、図４に示すようなサムネイルの組が複数含まれる画像を出力部１８に表示させる。
具体的には、実行部４６は、第１関連情報を参照して、再生対象動画Ｇ１，Ｇ２の組を認識すると共に、それに対応するサムネイルＳ１，Ｓ２の組を認識する。次に、実行部４６は、第２関連情報を参照して、空間的な位置関係の複数のパターンを認識して、サムネイルＳ１，Ｓ２の組を、認識したパターン毎に夫々配置して、出力部１８に表示させる。
例えば、サムネイルＳ１，Ｓ２の組ＳＴ１は、図３の空間的な位置関係ＳＧ１のパターン、即ち、サムネイルＳ１（再生対象動画Ｇ１）を左側にサムネイルＳ２（再生対象動画Ｇ２）を右側に横並びで配置するパターンに従って、出力部１８に表示されたものである。
サムネイルＳ１，Ｓ２の組ＳＴ２は、図３には図示せぬ空間的な位置関係のパターンであって、サムネイルＳ２（再生対象動画Ｇ２）を左側にサムネイルＳ１（再生対象動画Ｇ１）を右側に横並びで配置するパターンに従って、出力部１８に表示されたものである。
サムネイルＳ１，Ｓ２の組ＳＴ３は、図３の空間的な位置関係ＳＧ２のパターン、即ち、サムネイルＳ１（再生対象動画Ｇ１）を上側にサムネイルＳ２（再生対象動画Ｇ２）を下側に縦並びで配置するパターンに従って、出力部１８に表示されたものである。
サムネイルＳ１，Ｓ２の組ＳＴ４は、図３には図示せぬ空間的な位置関係のパターンであって、サムネイルＳ２（再生対象動画Ｇ２）を上側にサムネイルＳ１（再生対象動画Ｇ１）を下側に縦並びで配置するパターンに従って、出力部１８に表示されたものである。
サムネイルＳ１，Ｓ２の組ＳＴ５は、図３には図示せぬ空間的な位置関係のパターンであって、サムネイルＳ２（再生対象動画Ｇ２）を親画面として全画面表示させ、サムネイルＳ１（再生対象動画Ｇ１）を子画面として親画面の上に重畳して配置するパターンに従って、出力部１８に表示されたものである。
サムネイルＳ１，Ｓ２の組ＳＴ６は、図３には図示せぬ空間的な位置関係のパターンであって、サムネイルＳ１（再生対象動画Ｇ１）を親画面として全画面表示させ、サムネイルＳ２（再生対象動画Ｇ２）を子画面として親画面の上に重畳して配置するパターンに従って、出力部１８に表示されたものである。
このように、サムネイルＳ１，Ｓ２の組ＳＴ１乃至ＳＴ６が一覧表示されることにより、ユーザは、再生対象動画Ｇ１，Ｇ２の組が２画面同時再生される場合における表示形態のうち、空間的な位置関係の各種パターンを容易にイメージすることができる。
【００３０】
そこで、ユーザは、図４に示される画像が出力部１８に表示されている状態で入力部１７を操作することで、再生対象動画Ｇ１，Ｇ２の組が２画面同時再生される場合における空間的な位置関係の各種パターンの中から、所望の１パターンを指示することができる。具体的には例えば、ユーザは、入力部１７を操作して、サムネイルＳ１，Ｓ２の組ＳＴ１乃至ＳＴ６のうち、所望の表示形態で表示されている組を指定する。
すると、ユーザ操作受付部４２は、その指定結果を受け付ける。実行部４６は、所定の処理として、指定結果から特定される空間的な位置関係のパターンに従って、再生対象動画Ｇ１，Ｇ２の組を空間的に配置させた状態で出力部１８からの２画面同時再生を実行する。
図５は、図４のサムネイルＳ１，Ｓ２の組ＳＴ１が選択された場合に、再生対象動画Ｇ１，Ｇ２の組が２画面同時再生されている様子を示す模式図である。
図４のサムネイルＳ１，Ｓ２の組ＳＴ１がユーザにより指定された場合には、図３の空間的な位置関係ＳＧ１のパターンに従って、図５に示すように、再生対象動画Ｇ１が左側に再生対象動画Ｇ２が右側に横並びで配置された状態で、出力部１８から２画面同時再生が行われる。
【００３１】
図６は、関連付け部４５により時間的な位置関係の関連付けがなされたサムネイルの組の表示の一例を示している。
関連付け部４５により第１関連付けが行われて、時間的な位置関係の第２関連付けが行われると、実行部４６は、図６に示すようなサムネイルの組が複数含まれる画像を出力部１８に表示させる。
具体的には、実行部４６は、第１関連情報を参照して、再生対象動画Ｇ１，Ｇ２の組を認識すると共に、それに対応するサムネイルＳ１，Ｓ２の組を認識する。次に、実行部４６は、第２関連情報を参照して、時間的な位置関係の複数のパターンを認識して、サムネイルＳ１，Ｓ２の組を、認識したパターン毎に模式的に配置して、出力部１８に表示させる。
例えば、サムネイルＳ１，Ｓ２の組ＳＴ７は、図３の時間的な位置関係ＳＧ３のパターン、即ち、サムネイルＳ１（再生対象動画Ｇ１）が先に表示された後にサムネイルＳ２（再生対象動画Ｇ２）が後に表示されるパターンを模式的に示すように、出力部１８に表示されたものである。
サムネイルＳ１，Ｓ２の組ＳＴ８は、図３には図示せぬ時間的な位置関係のパターンであって、サムネイルＳ２（再生対象動画Ｇ２）が先に表示された後にサムネイルＳ１（再生対象動画Ｇ１）が後に表示されるパターンを模式的に示すように、出力部１８に表示されたものである。
このように、サムネイルＳ１，Ｓ２の組ＳＴ７及びＳＴ８が表示されることにより、ユーザは、再生対象動画Ｇ１，Ｇ２の組が順次再生される場合における表示形態のうち、時間的な位置関係（どちらが先に再生されてどちらが後に再生されるのかについての関係）の各種パターンを容易にイメージすることができる。
【００３２】
そこで、ユーザは、図６に示される画像が出力部１８に表示されている状態で入力部１７を操作することで、再生対象動画Ｇ１，Ｇ２の組が順次再生される場合における時間的な位置関係の各種パターンの中から、所望の１パターンを指示することができる。具体的には例えば、ユーザは、入力部１７を操作して、サムネイルＳ１，Ｓ２の組ＳＴ７及びＳＴ８のうち、所望の表示形態で表示されている組を指定する。
すると、ユーザ操作受付部４２は、その指定結果を受け付ける。実行部４６は、所定の処理として、指定結果から特定される時間的な位置関係のパターンに従って、再生対象動画Ｇ１，Ｇ２の組を時間的に配置させて、つまりその配置の順番を時間的な再生順番として、出力部１８からの順次再生を実行する。
【００３３】
なお、サムネイルの組が表示される際のアクセプト比は、特に限定されない。ただし、サムネイルの組に対応する再生対象動画の組は、出力部１８に全画面表示されることから、そのアクセプト比は出力部１８と同様となっている。このため、２つの再生対象動画の各々のアクセプト比は、その空間的又は時間的な位置関係に応じて変化することになる（図５等参照）。従って、サムネイルの組は、対応する再生対象動画の組の再生のイメージを事前にユーザに与えるという目的があるという観点から、サムネイルの組の全体のアクセプト比は、出力部１８と同様であると好適である。
図７は、空間的又は時間的な各位置関係毎のサムネイルの組の実際の表示の様子を模式的に示す模式図である。
図７において、横並びの２画面同時再生を示すサムネイルの組ＳＴ１、縦並びの２画面同時再生を示すサムネイルの組ＳＴ３、及び、順次再生を示すサムネイルの組ＳＴ７の何れについても、全体のアクセプト比は出力部１８と同様となっている。
ただし、その結果として、横並びの２画面同時再生を示すサムネイルの組ＳＴ１については、各サムネイルＳ１，Ｓ２のアクセプト比は、出力部１８と比較して横方向の比率が小さくなっている。一方、縦並びの２画面同時再生を示すサムネイルの組ＳＴ３については、各サムネイルＳ１，Ｓ２のアクセプト比は、出力部１８と比較して縦方向の比率が小さくなっている。なお、順次再生を示すサムネイルの組ＳＴ７については、各サムネイルＳ１，Ｓ２のアクセプト比は、出力部１８と同様になっている。
【００３４】
次に、図８を参照して、このような図２の機能的構成の画像処理装置１が実行するサムネイル登録処理について説明する。
図８は、図２の機能的構成を有する画像処理装置１が実行するサムネイル登録処理の流れを説明するフローチャートである。
【００３５】
サムネイル登録処理は、ユーザにより入力部１７に対する所定の操作がなされたことを契機として開始され、次のような一連の処理が実行される。
【００３６】
ステップＳ１１において、画像選択部４３は、画像記憶部５１に記憶されている複数の動画像のデータの中から、再生対象動画の組を選択する。
【００３７】
ステップＳ１２において、サムネイル生成部４４は、ステップＳ１１において選択された再生対象動画の組について、空間的又は時間的な位置関係のパターンの数だけ、サムネイルの組を生成する。
【００３８】
ステップＳ１３において、関連付け部４５は、再生対象動画の組とサムネイルの組との関連付けの情報（本実施形態では第１関連情報及び第２関連情報）を生成して、関連情報記憶部５３に登録（記憶）させる。
【００３９】
ステップＳ１４において、関連付け部４５は、ステップＳ１２において生成された、再生対象動画の組の再生形態のパターン（空間的又は時間的な位置関係のパターン）の数分のサムネイルの組を、サムネイル記憶部５２に登録（記憶）させる。
これにより、サムネイル登録処理は終了となる。
【００４０】
サムネイル登録処理が終了すると、登録された各サムネイルの組（カップリング）の一覧表示の画像、例えば上述の図４や図６に示す画像が出力部１８に表示される。ユーザは、その画像をみながら入力部１７を操作することで、所望の表示形態のサムネイルの組を指定することができる。この指定操作が、ユーザ操作受付部４２によって受け付けられて実行部４６に通知されると、図９に示す再生処理が開始される。
図９は、図２の機能的構成を有する画像処理装置１が実行する再生処理の流れを説明するフローチャートである。
【００４１】
ステップＳ３１において、実行部４６は、ユーザ操作受付部４２によって受け付けられた指定操作の内容によって、サムネイルの組を選択する。
【００４２】
ステップＳ３２において、実行部４６は、関連情報記憶部５３に記憶された第１関連情報に基づいて、ステップＳ３１において選択されたサムネイルの組に関連付けられた再生対象動画の組を検索する。
【００４３】
ステップＳ３３において、実行部４６は、ステップＳ３２において検索された再生対象動画の組の各データを画像記憶部５１から読み出す。
ステップＳ３４において、実行部４６は、関連情報記憶部５３に記憶された第２関連情報に基づいて、ステップＳ３１において選択されたサムネイルの組に関連付けられた空間的又は時間的な位置関係で、ステップＳ３３において読み出された再生対象動画の組の再生を開始させる。
【００４４】
ステップＳ３５において、実行部４６は、再生対象動画の組の再生が終了したか否かを判定する。
再生対象動画の組の再生が未だ終了していない場合、ステップＳ３５においてＮＯであると判定されて、処理は再びステップＳ３５の処理に戻される。即ち、再生対象動画の組の再生が終了するまでの間、ステップＳ３５の判定処理が繰り返し実行されて、再生処理が待機状態となる。
再生対象動画の組の再生が終了すると、ステップＳ３５においてＹＥＳであると判定されて、再生処理は終了となる。
【００４５】
以上、第１実施形態について説明した。次に、第２実施形態について説明する。
【００４６】
［第２実施形態］
第２実施形態に係る画像処理装置１は、第１実施形態に係るものと基本的に同様のハードウェア構成を取ることができる。従って、図１は、第２実施形態に係る画像処理装置１のハードウェアの構成を示すブロック図でもある。
また、第２実施形態に係る画像処理装置１は、第１実施形態に係る画像処理装置１と基本的に同様の機能的構成を取ることができる。
ただし、サムネイル登録処理について、サムネイル生成部４４は、第１実施形態では、組合せ可能な全ての位置関係のサムネイルの組を生成していたのに対し、第２実施形態では、選択された位置関係のサムネイルの組のみを生成する。
従って、第２実施形態では、図８のサムネイル登録処理に代えて、図１０のサムネイル登録処理が実行される。
図１０は、図２の機能的構成を有する画像処理装置１が実行する第２実施形態のサムネイル登録処理の流れを説明するフローチャートである。
【００４７】
ステップＳ５１において、画像選択部４３は、画像記憶部５１に記憶されている複数の動画像のデータの中から、再生対象動画の組を選択する。
【００４８】
ここで、第２実施形態では、ユーザは、入力部１７を操作することによって、所望の位置関係を１以上指定することができる。この指定操作が、ユーザ操作受付部４２によって受け付けられて画像選択部４３に通知されると、処理はステップＳ５２に進む。
【００４９】
ステップＳ５２において、画像選択部４３は、ユーザ操作受付部４２により受け付けられた指定操作の内容に基づいて、空間的又は時間的な位置関係を１以上選択する。
【００５０】
ステップＳ５３において、サムネイル生成部４４は、ステップＳ５１において選択された再生対象動画の組について、ステップＳ５２において選択された空間的又は時間的な位置関係のパターンの数だけ、サムネイルの組を生成する。
【００５１】
ステップＳ５４において、関連付け部４５は、再生対象動画の組とサムネイルの組との関連付けの情報（本実施形態では第１関連情報及び第２関連情報）を生成して、関連情報記憶部５３に登録（記憶）させる。
【００５２】
ステップＳ５５において、関連付け部４５は、ステップＳ５３において生成された、再生対象動画の組の選択された再生形態のパターン（選択された空間的又は時間的な位置関係のパターン）の数分のサムネイルの組を、サムネイル記憶部５２に登録（記憶）させる。
これにより、サムネイル登録処理は終了となる。
【００５３】
以上、第２実施形態について説明した。次に、第３実施形態について説明する。
【００５４】
［第３実施形態］
第３実施形態に係る画像処理装置１は、第１実施形態に係るものと基本的に同様のハードウェア構成を取ることができる。従って、図１は、第３実施形態に係る画像処理装置１のハードウェアの構成を示すブロック図でもある。
また、第３実施形態に係る画像処理装置１は、第１実施形態に係る画像処理装置１と基本的に同様の機能的構成を取ることができる。
ただし、第１実施形態に係るサムネイル登録処理では、サムネイル生成部４４は、組合せ可能な全ての位置関係のサムネイルの組を生成していた。これに対して、第３実施形態に係るサムネイル登録処理では、サムネイル生成部４４は、表示された位置関係のサムネイルの組のみを生成する。  従って、第３実施形態では、図８のサムネイル登録処理に代えて、図１１のサムネイル登録処理が実行される。
図１１は、図２の機能的構成を有する画像処理装置１が実行する第３実施形態のサムネイル登録処理の流れを説明するフローチャートである。
【００５５】
ステップＳ７１において、画像選択部４３は、画像記憶部５１に記憶されている複数の動画像のデータの中から、再生対象動画の組を選択する。
【００５６】
ここで、第３実施形態では、ユーザは、入力部１７を操作することによって、所望の位置関係を指定することができる。この指定操作が、ユーザ操作受付部４２によって受け付けられて画像選択部４３に通知されると、処理はステップＳ７２に進む。
【００５７】
ステップＳ７２において、画像選択部４３は、ユーザ操作受付部４２により受け付けられた指定操作の内容に基づいて、空間的又は時間的な位置関係を選択する。
【００５８】
ステップＳ７３において、実行部４６は、ステップＳ７２において選択された空間的又は時間的な位置関係で、ステップＳ７１において選択された再生対象動画の組の再生を開始させる。
ステップＳ７４において、実行部４６は、再生対象動画の組の再生が終了したか否かを判定する。
再生対象動画の組の再生が未だ終了していない場合、ステップＳ７４においてＮＯであると判定されて、処理は再びステップＳ７４の処理に戻される。即ち、再生対象動画の組の再生が終了するまでの間、ステップＳ７４の判定処理が繰り返し実行されて、サムネイル登録処理が待機状態となる。
再生対象動画の組の再生が終了すると、ステップＳ７５においてＹＥＳであると判定されて、処理はステップＳ７５に進む。
【００５９】
ステップＳ７５において、ユーザ操作受付部４２は、ユーザの入力部１７の操作によるサムネイルの登録の指示があったか否かを判定する。
ユーザがサムネイルの登録を所望せずに登録の指示操作をしなかった場合には、ステップＳ７５においてＮＯであると判定されて、サムネイル登録処理は終了となる。
これに対して、ユーザがサムネイルの登録を所望して登録の指示操作をした場合には、ステップＳ７５においてＹＥＳであると判定されて、処理はステップＳ７６に進む。
【００６０】
ステップＳ７６において、サムネイル生成部４４は、ステップＳ７１において選択された再生対象動画の組について、ステップＳ７２において選択された空間的又は時間的な位置関係のパターンの数だけ、サムネイルの組を生成する。
【００６１】
ステップＳ７７において、関連付け部４５は、再生対象動画の組とサムネイルの組との関連付けの情報（本実施形態では第１関連情報及び第２関連情報）を生成して、関連情報記憶部５３に登録（記憶）させる。
【００６２】
ステップＳ７８において、関連付け部４５は、ステップＳ７６において生成された、再生対象動画の組の選択された再生形態のパターン（選択された空間的又は時間的な位置関係のパターン）の数分のサムネイルの組を、サムネイル記憶部５２に登録（記憶）させる。
これにより、サムネイル登録処理は終了となる。
【００６３】
以上説明したように、本実施形態の画像処理装置１は、画像選択部４３と、サムネイル生成部４４と、関連付け部４５と、実行部４６と、を備える。
画像選択部４３は、所定の処理の対象となる複数の画像の組を選択する。サムネイル生成部４４は、画像選択部４３により選択された複数の画像の組を識別可能なサムネイルを生成する。関連付け部４５は、画像選択部４３により選択された複数の画像の組を示す所定情報（例えば上述の第１関連情報）と、サムネイル生成部４４により生成されるサムネイルと、を関連付ける。実行部４６は、関連付け部４５により関連付けされたサムネイルに対する操作に応じて、関連付けられている所定の情報で示される複数の画像の組を自動選択して所定の処理を実行する。
これにより、ユーザは、どの画像が関連付けられているかを識別可能なサムネイルを選択するだけで、関連付けられている画像が自動選択されて所定の処理が自動的に実行される。その結果、ユーザが画像を複数選択する等の処理をする際の手間を軽減することができる。
【００６４】
また、本実施形態の画像処理装置１の関連付け部４５は、サムネイル生成部４４により生成される複数のサムネイルを、複数の画像の組を示す所定情報と関連付けて記憶する。
実行部４６は、関連付け部４５により記憶されている複数のサムネイルに対する選択操作に応じて所定の処理を実行する。
これにより、ユーザは、記憶されている複数のサムネイルのうち所望の１を選択するだけで、選択されたサムネイルに関連付けられている画像の組が自動選択されて所定の処理が自動的に実行される。よって、ユーザが画像を複数選択する等の処理をする際の手間をより軽減することができる。
【００６５】
また、本実施形態の画像処理装置１の関連付け部４５は、複数の画像の組に所定の処理を行う際の空間的又は時間的な位置関係も更に関連付ける。サムネイル生成部４４は、空間的又は時間的な位置関係も合わせて識別可能なサムネイルを更に生成する。そして、実行部４６は、関連付けに含まれるサムネイルに対する操作に応じて、関連付けられている複数の画像の組を自動選択すると共に関連付けられている位置関係で所定の処理を実行する。
これにより、ユーザは、どの画像がどの位置関係で関連付けられているかを識別可能なサムネイルを選択するだけで、関連付けられている画像が自動選択されて、関連付けられている位置関係で所定の処理が自動的に実行される。
【００６６】
また、本実施形態の画像処理装置１の関連付け部４５により関連付けられる空間的又は時間的位置関係は、複数画像を複数画面に表示する際の位置関係である。
これにより、ユーザは、複数画像を複数画面に表示する際の複数画像の自動選択を位置関係も含めて容易に行うことができる。
【００６７】
また、本実施形態の画像処理装置１の関連付け部４５により関連付けられる空間的又は時間的位置関係は、複数画像を１画面内に重畳して表示する際の位置関係である。
これにより、ユーザは、複数画像を１画面内に重畳して表示する際の複数画像の自動選択を位置関係も含めて容易に行うことができる。
【００６８】
また、本実施形態の画像処理装置１の関連付け部４５により関連付けられる空間的又は時間的位置関係は、複数画像を１画面に順次切り換えて表示する際の順番である。
これにより、ユーザは、複数画像を１画面に順次切り換えて表示する際の複数画像の自動選択を位置関係も含めて容易に行うことができる。
【００６９】
また、本実施形態の画像処理装置１のサムネイル生成部４４は、選択された複数の画像の組を空間的又は時間的位置関係に対応して予め決められた組合せ可能な位置関係で配置し合成した縮小画像をサムネイルとして生成する。
これにより、ユーザは、位置関係の選択が不要となり、自由に画像の位置関係を選択して表示させることができる。
【００７０】
また、本実施形態の画像処理装置１のサムネイル生成部４４は、選択された複数の画像の組を空間的又は時間的位置関係が組合せ可能な位置関係を選択して配置し合成した縮小画像をサムネイルとして生成する。
これにより、必要な組み合わせのサムネイルのみが生成されるので、不要なサムネイルが無駄に増えることを防止することができる。
【００７１】
また、本実施形態の画像処理装置１のサムネイル生成部４４は、複数の画像の組の表示を実行した後に、複数の画像の組を表示した位置関係に基づいて配置し合成した縮小画像をサムネイルとして生成する。
これにより、表示したサムネイルのみが生成されるので、ユーザは表示を確認してからサムネイルを生成させることができるので、不要なサムネイルが無駄に増えることを防止することができる。
【００７２】
また、本実施形態の画像処理装置１の実行部４６により実行される所定の処理は、複数画面における複数画像の表示である。
これにより、ユーザは、複数画像を複数画面に表示する際の複数画像の自動選択を容易に行うことができる。
【００７３】
また、本実施形態の画像処理装置１の実行部４６により実行される所定の処理は、１画面内における複数画像の重畳表示である。
これにより、ユーザは、複数画像を１画面内に重畳して表示する際の複数画像の自動選択を容易に行うことができる。
【００７４】
また、本実施形態の画像処理装置１の実行部４６により実行される所定の処理は、１画面内における順次切換表示である。
これにより、ユーザは、複数画像を１画面に順次切り換えて表示する際の複数画像の自動選択を容易に行うことができる。
【００７５】
また、本実施形態の画像処理装置１のサムネイル生成部４４は、複数の各画像を結合することでサムネイルを生成する。
これにより、ユーザは、複数画像の識別を容易に行うことができる。
【００７６】
また、本実施形態の画像処理装置１は、画像選択部４３と、サムネイル生成部４４と、関連付け部４５と、実行部４６と、を備える。
画像選択部４３は、所定の処理の対象となる複数の画像の組の空間的又は時間的な位置関係を選択する。
サムネイル生成部４４は、画像選択部４３により選択された複数の画像の組の空間的又は時間的な位置関係を識別可能なサムネイルを生成する。
関連付け部４５は、画像選択部４３により選択された複数の画像の組の空間的又は時間的な位置関係を示す所定情報と、サムネイル生成部４４により生成されるサムネイルと、を関連付ける。
実行部４６は、関連付け部４５により関連付けされたサムネイルに対する操作に応じて、関連付けられている所定の情報で示される複数の画像の組の空間的又は時間的な位置関係を自動選択して所定の処理を実行する。
これにより、ユーザは、どの画像がどの位置関係で関連付けられているかを識別可能なサムネイルを選択するだけで、選択されたサムネイルに関連付けられている複数の画像の組が自動選択されて、関連付けられている位置関係で所定の処理が自動的に実行される。よって、ユーザが画像を複数選択する等の処理をする際の手間をより軽減することができる。
【００７７】
なお、本発明は、上述の実施形態に限定されるものではなく、本発明の目的を達成できる範囲での変形、改良等は本発明に含まれるものである。
【００７８】
上述の実施形態では、再生対象動画の組に属する動画像の数は、２つとされていたがこれに限られるものではない。例えば、画像選択部４３は、ユーザの操作に基づき３つ以上の動画像が指定された場合には、３つ以上の動画像を再生対象動画の組として選択することができる。
この場合、３つ以上のサムネイルの組ができるので、空間的又は時間的な位置関係も３つ以上の組合せとなり、その結果、空間的又は時間的な位置関係を選択する画面も、２つの場合の図４や図６の画面と比較して、組の数に応じて変化することになる。
【００７９】
また、上述の実施形態では、２つの再生対象動画が、出力部１８の１つのディスプレイに２画面同時再生されているがこれに限られるものではなく、例えば、複数の再生対象動画が、出力部１８の複数のディスプレイに多画面同時再生することができる。
【００８０】
また、上述の実施形態では、関連付け部４５は、画像選択部４３により選択された複数の画像を出力部１８に表示する際の空間的又は時間的な位置関係を関連付けているが、関連付けの対象はこれに限られるものではない。例えば、関連付け部４５は、再生対象動画の音声として主音声又は副音声の何れかを割り当て、その割り当てた内容をサムネイルに関連付けることができる。
【００８１】
また、上述の実施形態では、順次再生の場合、サムネイルが１画面で順次切り換えて表示される構成となっているが、これに限られるものではない。例えば、サムネイルが順次切り替えて表示される区間は特に全区間に限定されるものではなく、例えば、全区間を２つの区間に分けて、第１区間の第１のサムネイル、第１区間の第２のサムネイル、第２区間の第１のサムネイル、及び第２区間の第２のサムネイルのように、一定の規則を持って切り替えられるようにしてもよい。示されるサムネイルにより構成することができる。
【００８２】
また、上述の実施形態では、再生対象の画像は動画像とされたが、これに限られるものではない。例えば、再生対象の画像は、いわゆる連写による複数の静止画像の集合体であってもよいし、ゴルフのフォームの瞬間的な様子が写る静止画像であってもよい。
また、上述の実施形態では、空間的な位置関係のパタンーンにおける再生やサムネイルの生成で、アクセプト比を変更して全体が収まるようにしているが、アクセプト比を保持したままトリミングするようにしてもよい。
また、サムネイル生成、位置関係の関連付けは画像の位置関係の選択を容易にするために再生するまでの一時的なものであって、記憶しなくてもよい。
【００８３】
また、上述の実施形態では、本発明が適用される画像処理装置１は、デジタルカメラを例として説明したが、特にこれに限定されない。
例えば、本発明は、表示機能を有する電子機器一般に適用することができる。具体的には、例えば、本発明は、ノート型のパーソナルコンピュータ、テレビジョン受像機、ビデオカメラ、携帯型ナビゲーション装置、携帯電話機、ポータブルゲーム機等に適用可能である。
【００８４】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が画像処理装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組合せで構成してもよい。
【００８５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８６】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、Ｂｌｕ−ｒａｙ  Ｄｉｓｃ（ブルーレイディスク）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）、等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００８７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００８８】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００８９】
以下に、本願の出願当初の特許請求の範囲に記載された発明を付記する。
［付記１］
所定の処理の対象となる複数の画像の組を選択する画像選択手段と、
前記画像選択手段により選択された複数の画像の組を識別可能なサムネイルを生成するサムネイル生成手段と、
前記画像選択手段により選択された複数の画像の組を示す所定情報と、前記サムネイル生成手段により生成されるサムネイルと、を関連付ける関連付け手段と、
前記関連付け手段により関連付けされたサムネイルに対する操作に応じて、関連付けられている所定の情報で示される複数の画像の組を自動選択して所定の処理を実行する実行手段と、
を備えることを特徴とする画像処理装置。
［付記２］
前記関連付け手段は、前記サムネイル生成手段により生成される複数のサムネイルを前記複数の画像の組を示す所定情報と関連付けて記憶し、
前記実行手段は、前記関連付け手段により記憶されている複数のサムネイルに対する選択操作に応じて所定の処理を実行する
ことを特徴とする付記１に記載の画像処理装置。
［付記３］
前記関連付け手段は、前記複数の画像の組に所定の処理を行う際の空間的又は時間的な位置関係も更に関連付け、
前記サムネイル生成手段は、空間的又は時間的な位置関係も合わせて識別可能なサムネイルを更に生成し、
前記実行手段は、前記関連付けに含まれるサムネイルに対する操作に応じて、関連付けられている複数の画像の組を自動選択すると共に関連付けられている位置関係で所定の処理を実行する
ことを特徴とする付記１又は２に記載の画像処理装置。
［付記４］
前記関連付け手段により関連付けられる空間的又は時間的位置関係は、複数画像を複数画面に表示する際の位置関係である
ことを特徴とする付記３に記載の画像処理装置。
［付記５］
前記関連付け手段により関連付けられる空間的又は時間的位置関係は、複数画像を１画面内に重畳して表示する際の位置関係である
ことを特徴とする付記３に記載の画像処理装置。
［付記６］
前記関連付け手段により関連付けられる空間的又は時間的位置関係は、複数画像を１画面に順次切り換えて表示する際の順番である
ことを特徴とする付記３に記載の画像処理装置。
［付記７］
前記サムネイル生成手段は、選択された複数の画像の組を前記空間的又は時間的位置関係に対応して予め決められた組合せ可能な位置関係で配置し合成した縮小画像を前記サムネイルとして生成する
ことを特徴とする付記３乃至６のうち何れか１つに記載の画像処理装置。
［付記８］
前記サムネイル生成手段は、選択された複数の画像の組を前記空間的又は時間的位置関係が組合せ可能な位置関係を選択して配置し合成した縮小画像を前記サムネイルとして生成する
ことを特徴とする付記３乃至６のうち何れか１つに記載の画像処理装置。
［付記９］
前記サムネイル生成手段は、前記複数の画像の組の表示を実行した後に、前記複数の画像の組を表示した位置関係に基づいて配置し合成した縮小画像を前記サムネイルとして生成する
ことを特徴とする付記３乃至６のうち何れか１つに記載の画像処理装置。
［付記１０］
前記実行手段により実行される前記所定の処理は、複数画面における複数画像の表示である
ことを特徴とする付記１に記載の画像処理装置。
［付記１１］
前記実行手段により実行される前記所定の処理は、１画面内における複数画像の重畳表示である
ことを特徴とする付記１に記載の画像処理装置。
［付記１２］
前記実行手段により実行される前記所定の処理は、１画面内における順次切換表示である
ことを特徴とする付記１に記載の画像処理装置。
［付記１３］
前記サムネイル生成手段は、前記複数の各画像を結合することで前記サムネイルを生成する
ことを特徴とする付記３乃至１２のうち何れか１つに記載の画像処理装置。
［付記１４］
所定の処理を実行する画像処理装置が実行する画像処理方法であって、
所定の処理の対象となる複数の画像の組を選択する画像選択ステップと、
前記画像選択ステップにおいて選択された複数の画像の組を識別可能なサムネイルを生成するサムネイル生成ステップと、
前記画像選択ステップにおいて選択された複数の画像の組を示す所定情報と、前記サムネイル生成ステップにおいて生成されるサムネイルと、を関連付ける関連付けステップと、
前記関連付けステップにおいて関連付けされたサムネイルに対する操作に応じて、関連付けられている所定の情報で示される複数の画像の組を自動選択して所定の処理を実行する実行ステップと、
を含むことを特徴とする画像処理方法。
［付記１５］
コンピュータを、
所定の処理の対象となる複数の画像の組を選択する画像選択手段、
前記画像選択手段により選択された複数の画像の組を識別可能なサムネイルを生成するサムネイル生成手段、
前記画像選択手段により選択された複数の画像の組を示す所定情報と、前記サムネイル生成手段により生成されるサムネイルと、を関連付ける関連付け手段、
前記関連付け手段により関連付けされたサムネイルに対する操作に応じて、関連付けられている所定の情報で示される複数の画像の組を自動選択して所定の処理を実行する実行手段、
として機能させることを特徴とするプログラム。
［付記１６］
所定の処理の対象となる複数の画像の組の空間的又は時間的な位置関係を選択する選択手段と、
前記選択手段により選択された複数の画像の組の空間的又は時間的な位置関係を識別可能なサムネイルを生成するサムネイル生成手段と、
前記選択手段により選択された複数の画像の組の空間的又は時間的な位置関係を示す所定情報と、前記サムネイル生成手段により生成されるサムネイルと、を関連付ける関連付け手段と、
前記関連付け手段により関連付けされたサムネイルに対する操作に応じて、関連付けられている所定の情報で示される複数の画像の組の空間的又は時間的な位置関係を自動選択して所定の処理を実行する実行手段と、
を備えることを特徴とする画像処理装置。
［付記１７］
所定の処理を実行する画像処理装置が実行する画像処理方法であって、
所定の処理の対象となる複数の画像の組の空間的又は時間的な位置関係を選択する選択ステップと、
前記選択ステップにおいて選択された複数の画像の組の空間的又は時間的な位置関係を識別可能なサムネイルを生成するサムネイル生成ステップと、
前記選択ステップにおいて選択された複数の画像の組の空間的又は時間的な位置関係を示す所定情報と、前記サムネイル生成ステップにおいて生成されるサムネイルと、を関連付ける関連付けステップと、
前記関連付けステップにおいて関連付けされたサムネイルに対する操作に応じて、関連付けられている所定の情報で示される複数の画像の組の空間的又は時間的な位置関係を自動選択して所定の処理を実行する実行ステップと、
を含むことを特徴とする画像処理方法。
［付記１８］
コンピュータを、
所定の処理の対象となる複数の画像の組の空間的又は時間的な位置関係を選択する選択手段、
前記選択手段により選択された複数の画像の組の空間的又は時間的な位置関係を識別可能なサムネイルを生成するサムネイル生成手段、
前記選択手段により選択された複数の画像の組の空間的又は時間的な位置関係を示す所定情報と、前記サムネイル生成手段により生成されるサムネイルと、を関連付ける関連付け手段、
前記関連付け手段により関連付けされたサムネイルに対する操作に応じて、関連付けられている所定の情報で示される複数の画像の組の空間的又は時間的な位置関係を自動選択して所定の処理を実行する実行手段、
として機能させることを特徴とするプログラム。
【符号の説明】
【００９０】
１１・・・ＣＰＵ、１２・・・ＲＯＭ、１３・・・ＲＡＭ、１４・・・バス、１５・・・入出力インターフェース、１６・・・撮像部、１７・・・入力部、１８・・・出力部、１９・・・記憶部、２０・・・通信部、２１・・・ドライブ、３１・・・リムーバブルメディア、４１・・・主制御部、４２・・・ユーザ操作受付部、４３・・・画像選択部、４４・・・サムネイル生成部、４５・・・関連付け部、４６・・・実行部、５１・・・画像記憶部、５２・・・サムネイル記憶部５２・・・関連情報記憶部
【図１】
2014186766.tif 000003
【図２】
2014186766.tif 000004
【図３】
2014186766.tif 000005
【図４】
2014186766.tif 000006
【図５】
2014186766.tif 000007
【図６】
2014186766.tif 000008
【図７】
2014186766.tif 000009
【図８】
2014186766.tif 000010
【図９】
2014186766.tif 000011
【図１０】
2014186766.tif 000012
【図１１】
2014186766.tif 000013